(57)【要約】      （修正有）【課題】携帯性に優れ、かつ、衣服等の目に見える場所に取り付け可能な扉開閉補助具を提供する。【解決手段】扉開閉補助具１００は、把持部１１１とフック部１１２を備えた本体部１１０と、収縮機構１２１と両側に二つの接続部１２２、１２３を備えた収縮部１２０とを備え、衣服等に取り付けることで外に開放状態で保持できることで汚染を少なくし、取手を押し引きする手の伸縮の幅だけ移動の自由度を備えたものである。【選択図】図１
0003227119.tif 000002
【実用新案登録請求の範囲】
【請求項１】
本体部と収縮部とを有し、前記本体部は、手で持つための把持部と、前記把持部に一体的に接続していて、取手にかけて押し引きするためのフック部を備え、
前記収縮部は、長手方向の収縮機能を有する収縮機構と、前記収縮機構の一端側に取付いていて、前記本体部と接続するための第一接続部と、前記収縮機構の他端側に取付いていて、ネックストラップや衣服等に取り付けるための第二接続部を備えていることを特徴とする扉開閉補助具。
【請求項２】
前記フック部は、押し引きによっても滑りによるはずれが起こりにくい返し形状部を持つＣ字型またはＳ字型の形状であることを特徴とする請求項１記載の扉開閉補助具。
【考案の詳細な説明】
【技術分野】
【０００１】
本考案は、取手に直接手を触れずに扉やドアを開閉するための補助具に関するものである。
【背景技術】
【０００２】
インフルエンザやその他の感染症対策の１つとして、素手でドアや扉を触らないことが挙げられる。ドアや扉は不特定多数の者が触る場所であり、菌やウイルスが様々な人に感染するきっかけとなりやすいからである。そのため、ドアや扉を開閉するための補助具が提案されている。
図３は、従来の扉開閉補助具の構造を示す図である。
３−Ａでは、基部の先端にアルファベットのＣの形状のフック部があり、扉やドアを引いて開ける場合はフック部にドアや扉の取手を引っ掛け、逆に押して開ける場合はフック部をドアや扉の本体や取手に押し当てて使用する。また、キーホルダーのリングを通すための穴が開いており、鍵と一緒に携帯することができる（非特許文献１参照）。
３−Ｂでは、基部に指を通すための穴が開いており、この穴に指を通しつつ基部を掴むことで、押し引きの動作を安定して行うことができるようになっている（非特許文献２参照）。
ここで、これらの扉開閉補助具は携帯性に優れるものの、都度ポケットやバッグ等から取り出すことになり、若干の不便があった。
また、ポケットやバッグ等、見えない場所から取り出す動作の中で、うっかりフック部に触れてしまうこともあり、扉やドアの取手に直接手を触れたのと変わらない結果に陥ることもあった。
【先行技術文献】
【非特許文献】
【０００３】
【非特許文献１】えんウチ、「ドアの取っ手を触りたくない！−手を介した感染リスク低下を目指す「Aopun」」、[online]、２０１６年３月１７日、インターネットコム株式会社、[令和２年４月１６日]、インターネット＜URL：https://enuchi.jp/3522/aopun-helps-us-never-to-touch-door-handle＞
【非特許文献２】インターネットコム、「手を触れずにボタンを押したりドアを開けたりできる衛生グッズ「Hygiene Hand」」、[online]、２０２０年３月３０日、インターネットコム株式会社、[令和２年４月１６日]、インターネット＜URL：https://internetcom.jp/205789/statgear-hygiene-hand＞
【考案の概要】
【考案が解決しようとする課題】
【０００４】
本願の課題は、携帯性に優れ、かつ、衣服等の目に見える場所に取り付け可能な扉開閉補助具を提供することである。
【課題を解決するための手段】
【０００５】
以下請求項に沿い記述する。
請求項１記載の考案は、扉開閉補助具であって、
本体部と収縮部とを有し、前記本体部は、手で持つための把持部と、前記把持部に一体的に接続していて、取手にかけて押し引きするためのフック部を備え、
前記収縮部は、長手方向の収縮機能を有する収縮機構と、前記収縮機構の一端側に取付いていて、前記本体部と接続するための第一接続部と、前記収縮機構の他端側に取付いていて、ネックストラップや衣服等に取り付けるための第二接続部を備えていることを特徴とする。
【０００６】
請求項２記載の考案は、請求項１記載の扉開閉補助具において、
前記フック部は、押し引きによっても滑りによるはずれが起こりにくい返し形状部を持つＣ字型またはＳ字型の形状であることを特徴とする。
【考案の効果】
【０００７】
以上の様に構成されているので、本考案による扉開閉補助具は、ネックストラップや衣服に取り付けたまま使用できる（外に下げられる）ため、必要時に直ちに使用できるうえ、従来例のようにポケットやバッグなどに格納しておくことによる、ポケットやバッグ内の汚染や、誤ってフック部を触ってしまうリスクを大幅に軽減できる。さらに、取手を押すまたは引く時の手先の移動に応じて伸縮機構が対応して、不使用時は人体に取り付けた位置に本体部を留め、使用時は、持っている手の伸縮に対応して本体部が移動できてドア等の開閉の機能を果たす。
【図面の簡単な説明】
【０００８】
【図１】本考案にかかる扉開閉補助具の一実施態様を示す図である。
【図２】本考案にかかる扉開閉補助具の他の実施態様を示す図である。
【図３】従来の扉開閉補助具を示す図である。
【考案を実施するための形態】
【０００９】
図１は、本考案にかかる扉開閉補助具の一実施態様を示す図である。
扉開閉補助具１００は、本体部１１０と収縮部１２０とを有し、本体部１１０は、手で持つための把持部１１１と、把持部１１１に一体的に接続していて、取手にかけて押し引きするためのフック部１１２を備え、収縮部１２０は、ばね、リール、蛇腹等の長手方向の収縮機能を有する収縮機構１２１と、収縮機構１２１の一端側に取付いていて、本体部１１０と接続するための第一接続部１２２と、収縮機構１２１の他端側に取付いていて、ネックストラップや衣服等に取り付けるための第二接続部１２３を備えている。
把持部１１１には、収縮部１２０に設けられた例えばリング状の第一接続部１２２と接続するための穴が開いている。なお、接続するための機構であれば穴に限るものではなく、例えばクリップにより接続することもできる。
フック部１１２は、アルファベットのＣの形状であるが、コの字型、Ｕ字型、Ｓ字型等、取手に引っ掛けることができる形状であればよい。特に、押引の両用途を考慮すると、Ｃ字またはＳ字型が好ましい。これは、押し引きによっても滑りによるはずれが起こりにくい返し形状部を持つからである。それに対して、コの字型は、やや滑りやすい不都合がある。
また、フック部の入口である空隙は、様々な太さの取手に対応するために広めにしておくことが望ましく、フック部の先端は、ドアや扉の本体や取手に押し当てて使用する場合を考えると、平らな部分がある方が望ましい。
収縮機構１２１はばねとなっているが、リール（図２参照）や蛇腹等、収縮機能を有するものであればその形状を問わない。
ばねの一端には第一接続部１２２としてリングが取り付けられており、このリングが把持部１１１に開けられた穴に通されることで本体部１１０と接続されている。ばねの他端には第二接続部としてカラビナが取り付けられており、ネックストラップ付属のリングやズボンのベルトループや、胸ポケットに通して接続している。なお、第一接続部、第二接続部は共に、接続可能な形状であればよく、リングやカラビナに限るものではない。
なお、フック部１１２は衣服のポケットや、ネックストラップや扉開閉補助具が有するリング、カラビナに引っ掛けることもできる。ただし、引っ掛ける場所は普段手で触る機会が少ない場所にするのが望ましい。
【００１０】
図２は、本考案にかかる扉開閉補助具の他の実施態様を示す図である。
収縮機構１２１としてリールを用いており、ケースに内蔵されたワイヤーを引き出して、リング状の第一接続部１２２で接続した図示されない本体部１１０を使用する。第二接続部１２３としてリールのケースの一部がカラビナ状になっているが、接続可能な形状であればよい。
【産業上の利用可能性】
【００１１】
以上のように本考案にかかる扉開閉補助具は、ネックストラップや衣服に取り付けたまま開放空間において保持、さらに使用できるので、収納空間内を汚染する危険がなく、必要時に、取手を持った手の伸縮幅に応じて、直ちに使用できる。さらに、誤ってフック部を触ってしまうリスクを大幅に軽減できるため、産業上利用して極めて好都合である。
【００１２】
１００  扉開閉補助具
１１０  本体部
１１１  把持部
１１２  フック部
１２０  収縮部
１２１  収縮機構
１２２  第一接続部
１２３  第二接続部
３００  扉開閉補助具
３０１  把持部
３０２  フック部
３０３  キーホルダー接続穴
【図１】
0003227119.tif 000003
【図２】
0003227119.tif 000004
【図３】
0003227119.tif 000005